(57)【特許請求の範囲】
【請求項１】
内部に収納空間が設けられた袋本体と、
前記袋本体の互いに対向する内面に接合されたジッパーテープを構成する第一のテープ部材および第二のテープ部材と
を含むジッパーテープ付き袋体であって、
前記第一のテープ部材および前記第二のテープ部材は、幅方向の第一側および第二側のうち第二側が前記収納空間側になるように配置され、
前記第一のテープ部材は、
第一の帯状基部と、
前記第一の帯状基部から突出する第一の突出部、および前記第一の突出部の先端から前記第一側のみに向けて突出する第一の鉤用爪部を有する第一の鉤部と、
前記第一の鉤部に前記幅方向に並んで設けられ、前記幅方向であって互いに向かい合う方向に突出した雌側爪部を有する雌部材と
を含み、
前記第二のテープ部材は、
第二の帯状基部と、
前記第二の帯状基部から突出する第二の突出部、および前記第二の突出部の先端から前記第二側のみに向けて突出し前記第一の鉤用爪部に係止可能な第二の鉤用爪部を有する第二の鉤部と、
前記第二の鉤部に前記幅方向に並んで設けられ、前記幅方向であって互いに反対側に突出し前記雌側爪部に係止可能な一対の雄側爪部を有し、前記一対の雄側爪部のうち前記第二の鉤部とは反対側に向いた雄側爪部は、前記雌側爪部に係合する斜辺を有し、前記斜辺の前記第二の帯状基部の垂線に対する角度θが９０°未満である雄部材とを含み、
前記第一の帯状基部は前記第一の鉤部および前記雌部材に対して前記第一側および前記第二側の両方で前記袋本体の内面に接合され、前記第二の帯状基部は前記第二の鉤部および前記雄部材に対して前記第二側のみで前記袋本体の内面に接合され、
前記第一の鉤用爪部の前記第二の鉤用爪部に係合する斜辺の前記第一の帯状基部の垂線に対する角度αが９０°未満であり、かつ前記第二の鉤用爪部の前記第一の鉤用爪部に係合する斜辺の前記第二の帯状基部の垂線に対する角度βが９０°未満であり、
前記第一のテープ部材と前記第二のテープ部材との間に介装される除去可能な咬合阻止手段をさらに含む、ジッパーテープ付き袋体。
【請求項２】
前記第一の鉤用爪部の前記第二の鉤用爪部に係合する斜辺の前記第一の帯状基部の垂線に対する角度が８０°以下である、請求項１に記載のジッパーテープ付き袋体。
【請求項３】
前記第一の鉤用爪部の前記第二の鉤用爪部に係合する斜辺の前記第一の帯状基部の垂線に対する角度が４５°以上である、請求項２に記載のジッパーテープ付き袋体。
【請求項４】
前記第二の鉤用爪部の前記第一の鉤用爪部に係合する斜辺の前記第二の帯状基部の垂線に対する角度が８０°以下である、請求項１から請求項３のいずれか１項に記載のジッパーテープ付き袋体。
【請求項５】
前記第二の鉤用爪部の前記第一の鉤用爪部に係合する斜辺の前記第二の帯状基部の垂線に対する角度が４５°以上である、請求項４に記載のジッパーテープ付き袋体。
【請求項６】
前記雌側爪部の前記雄側爪部に係合する斜辺の前記第一の帯状基部の垂線に対する角度が８０°以下である、請求項１から請求項５のいずれか１項に記載のジッパーテープ付き袋体。
【請求項７】
前記雌側爪部の前記雄側爪部に係合する斜辺の前記第一の帯状基部の垂線に対する角度が４５°以上である、請求項６に記載のジッパーテープ付き袋体。
【請求項８】
前記雄側爪部の前記雌側爪部に係合する斜辺の前記第二の帯状基部の垂線に対する角度が８０°以下である、請求項１から請求項７のいずれか１項に記載のジッパーテープ付き袋体。
【請求項９】
前記雄側爪部の前記雌側爪部に係合する斜辺の前記第二の帯状基部の垂線に対する角度が４５°以上である、請求項８に記載のジッパーテープ付き袋体。
【請求項１０】
前記収納空間に物品が収納され、
前記第一のテープ部材と前記第二のテープ部材とが互いに係合している、請求項１から請求項９のいずれか１項に記載のジッパーテープ付き袋体。
【請求項１１】
請求項１から請求項１０のいずれか１項に記載のジッパーテープ付き袋体を用いた物品収納方法であって、
前記第一のテープ部材と前記第二のテープ部材とが係合されない状態で前記ジッパーテープ付き袋体を供給する工程と、
前記収納空間に物品を収納する工程と、
前記物品が収納された後に、前記第一のテープ部材と前記第二のテープ部材とを互いに係合させる工程と
を含む、物品の収納方法。
【発明の詳細な説明】
【技術分野】
【０００１】
本発明は、ジッパーテープ付き袋体および物品の収納方法に関する。
【背景技術】
【０００２】
従来、袋体に詰め込んだ商品を展示した時や、輸送時、その他において、商品を収納した袋を故意に開封し、商品が改竄されることがある。
例えば、スーパーマーケットなどの小売店において、袋体に商品を詰め、その後、袋体に封をした後、売り場で展示することがある。
ここで、袋体に商品を詰め、その後に封をするために、袋体を開閉する手段として、ヒートシール装置を必要とせず簡易に充填するという観点から、袋本体の互いに対向する面に接合されたジッパーテープを用いることがある。
ジッパーテープは、雄部材と雌部材とが着脱自在とされた構造であるため、袋体に封をする作業と開封する作業が簡易に行えるという有利な点があるものの、袋体に封をして一度収納した後に、袋体を開封して商品を容易に取り出せるという不利な点もある。そのため、商品の改竄防止という点からは、ジッパーテープ付き袋体は利用しにくい。
【０００３】
このようなジッパーテープ付き袋体において、改竄防止のための機能を備えた従来例が種々ある。
例えば、長手帯状の嵌合基部と、この嵌合基部の長手方向に沿って他部材が嵌合する渦巻き状の嵌合凹溝を有する係止部と、この係止部に接合し嵌合基部に連結する支持部とを備えた帯状係止部材がある（特許文献１）。
特許文献１では、一対の帯状係止部材が互いに嵌合することでジッパーテープとして機能する。係止部は、嵌合凹溝の一方の開口縁近傍に他部材と係合する内方に向けて突出する係合爪部を有する。支持部は、係止部との接合する位置が、係合爪部が他部材に係合する係合位置から嵌合基部に向けた垂線よりも、嵌合凹溝の他方の開口縁側に変位した位置に設けられている。支持部は、係止部が他部材と嵌合した状態から互いに離間する方向に引っ張り力を作用させて嵌合状態が解除される強度より小さい強度に形成される。
【先行技術文献】
【特許文献】
【０００４】
【特許文献１】特開２０１１−３６６４２号公報
【発明の概要】
【発明が解決しようとする課題】
【０００５】
特許文献１で示される従来例では、一対の帯状係止部材を一度嵌合した後に開封しようとすると、嵌合する係止部同士に剪断応力が作用して係合爪部が互いに咬み込む状態となり、開封しにくくなる。
しかし、特許文献１で示される従来例では、ジッパーテープが複雑な形状であるため、製造が困難であるとともに、搬送時に破損しないように注意が必要となる。
また、特許文献１で示される従来例では、無理やりジッパーテープを開封しようとしてさらに強い力を加えると、係止部が損傷したり、支持部が切断されたりすることで開封できてしまうという不具合があった。つまり、特許文献１で示される従来例は、封入後に開封状態を判断するのみであって、改竄のために、開封自体を阻止するものではない。
袋が開封されてしまったのでは、商品の改竄対策としては十分とはいえない。
【０００６】
本発明の目的は、物品の改竄の防止を確実に行えるジッパーテープ付き袋体および物品の収納方法を提供することにある。
【課題を解決するための手段】
【０００７】
本発明のある観点によれば、内部に収納空間が設けられた袋本体と、袋本体の互いに対向する内面に接合されたジッパーテープを構成する第一のテープ部材および第二のテープ部材とを含むジッパーテープ付き袋体であって、第一のテープ部材および第二のテープ部材は、幅方向の第一側および第二側のうち第二側が収納空間側になるように配置され、第一のテープ部材は、第一の帯状基部と、第一の帯状基部から突出する第一の突出部、および第一の突出部の先端から第一側に向けて突出する第一の爪部を有する第一の係合部材とを含み、第二のテープ部材は、第二の帯状基部と、第二の帯状基部から突出する第二の突出部、および第二の突出部の先端から第二側に向けて突出し第一の爪部に係止可能な第二の爪部を有する第二の係合部材とを含み、第一の帯状基部は第一の係合部材に対して第一側および第二側の両方で袋本体の内面に接合され、第二の帯状基部は第二の係合部材に対して第二側のみで袋本体の内面に接合され、第一の爪部の第二の爪部に係合する斜辺の第一の帯状基部の垂線に対する角度が９０°未満であり、かつ第二の爪部の第一の爪部に係合する斜辺の第二の帯状基部の垂線に対する角度が９０°未満である、ジッパーテープ付き袋体が提供される。
【０００８】
本発明の別の観点によれば、上記のジッパーテープ付き袋体を用いた物品収納方法であって、第一のテープ部材と第二のテープ部材とが係合されない状態でジッパーテープ付き袋体を供給する工程と、収納空間に物品を収納する工程と、物品が収納された後に、第一のテープ部材と第二のテープ部材とを互いに係合させる工程とを含む、物品の収納方法が提供される。
【図面の簡単な説明】
【００１８】
【図１】本発明の第１実施形態にかかる改竄防止用ジッパーテープ付き袋体の断面図。
【図２】改竄防止用ジッパーテープ付き袋体の正面図。
【図３】改竄防止用ジッパーテープ付き袋体の要部を示す断面図。
【図４】改竄防止用ジッパーテープを示す断面図。
【図５】（Ａ）〜（Ｄ）は物品を収納する方法を説明する概略図。
【図６】本発明の第２実施形態にかかる改竄防止用ジッパーテープ付き袋体を示すもので、図３に相当する図。
【図７】本発明の第３実施形態にかかる改竄防止用ジッパーテープ付き袋体を示すもので、図３に相当する図。
【図８】本発明の第４実施形態にかかる改竄防止用ジッパーテープ付き袋体を示すもので、図３に相当する図。
【図９】本発明の変形例にかかる改竄防止用ジッパーテープ付き袋体を示すもので、図３に相当する図。
【発明を実施するための形態】
【００１９】
以下、本発明の実施形態を図面に基づいて説明する。各実施形態の説明において同一符号を付した部材は説明を省略もしくは簡略にする。
[第１実施形態]
（改竄防止袋の構成）
本発明の第１実施形態を図１から図５に基づいて説明する。
図１および図２には、物品Ｇが収納された改竄防止袋１の全体構成が示されている。
図１および図２において、改竄防止袋１は、物品Ｇと、物品Ｇが収納された改竄防止用ジッパーテープ付き袋体２とを備えている。
（改竄防止用ジッパーテープ付き袋体の構成）
改竄防止用ジッパーテープ付き袋体２は、改竄防止袋１に専ら用いられるものであって、物品Ｇが収納される袋本体１０と、袋本体１０の互いに対向する内面に接合された改竄防止用ジッパーテープ２０とを備える。袋本体１０の改竄防止用ジッパーテープ２０より物品側には、開封用切断部３０が設けられている。
物品Ｇは、種々の商品を例示できるが、本実施形態では、大小２本のボトルＧ１，Ｇ２である。なお、以下の説明において、改竄防止用ジッパーテープ付き袋体２を、単にジッパーテープ付き袋体２と称し、改竄防止用ジッパーテープ２０を、単に、ジッパーテープ２０と称する。
【００２０】
（袋本体の構成）
袋本体１０は、基材フィルム１１が折り返して重ね合わされ、折り返す方向の両側に対応する重なり合う両縁部にサイドシール部１０Ａが形成されている。袋本体１０は、折り返す方向の端部に対応する重なり合い一方向に延びた縁が、改竄防止用ジッパーテープ２０を取り付ける開口端１２となる。
袋本体１０の内部には物品Ｇを収納する収納空間１３が設けられている。袋本体１０の開口端１２とは反対側の端縁にボトムシール部１０Ｂが設けられている。ボトムシール部１０Ｂの端部はサイドシール部１０Ａの端部と接続されている。なお、本実施形態では、開口端１２のみが開放可能な構成であれば、必ずしも、ボトムシール部１０Ｂを設けることを要しない。基材フィルム１１を折り返したまま、または、底材を挿入したスタンディングパウチとしてもよい。
【００２１】
（袋本体の材料）
基材フィルム１１としては、例えば、（直鎖状）低密度ポリエチレン（Linear Low Density Polyethylene：ＬＬＤＰＥ）、ポリプロピレン（Polypropylene：ＰＰ）などの熱可塑性樹脂にて形成された単層または多層のフィルムを利用できる。図１には多層のフィルムの例が開示されている。多層のフィルムとしては、表基材に、二軸延伸したポリプロピレン（Oriented Polypropylene：ＯＰＰ）、二軸延伸ポリエチレンテレフタレート（ＯＰＥＴ）、二軸延伸ナイロン（ＯＮｙ）、キャストポリプロピレン（Cast Polypropylene：ＣＰＰ）などを用いることができる。なお、多層フィルムとして、いわゆるガスバリアーや遮光などの目的で、アルミニウム蒸着やアルミニウム箔の積層など、無機系の層を備えた構成としてもよい。
また、基材フィルム１１は、包装袋用材料であれば特に限定されないが、例えば厚み寸法が１０μｍ以上２００μｍ以下であることが好ましい。厚み寸法が１０μｍ未満であると、シール強度、袋強度が弱くなる場合がある。
【００２２】
（ジッパーテープの構成）
ジッパーテープ２０の詳細な構成が図３および図４に示されている。
図３および図４において、改竄防止用ジッパーテープ２０は、それぞれ開口端１２と平行に配置された雌側テープ部材２１および雄側テープ部材２２を備えている。
これらの雌側テープ部材２１と雄側テープ部材２２とは、長手方向と直交する方向が幅方向（図３および図４では上下方向）とされている。幅方向の一方の方向（上方）が開口端側になり、幅方向の他方の方向（下方）が収納空間側となる。第１実施形態では、雌側テープ部材２１が図３および図４の左側に配置され、雄側テープ部材２２が図３および図４の右側に配置される。
【００２３】
雌側テープ部材２１は、雌側帯状基部４１と、雌側帯状基部４１のうち開口端側に設けられた雌部材Ｆと、この雌部材Ｆの前記幅方向のうち収納空間側に設けられた雌側鉤部６１とを備えて構成されている。
雌側帯状基部４１は、平板状に形成されており、その開口端側の端縁は袋本体１０の開口端１２から離れている。
雌側帯状基部４１は、その底面が袋本体１０の内面に接合されている。なお、雌側帯状基部４１の袋本体１０の内面との接合は、全面で行われているものでもよく、周縁を残して行われるものでもよく、あるいは、散点状に行われるものであってもよい。
雌部材Ｆは、互いに対向する一対の雌構成部５１を有する。これらの雌構成部５１は、それぞれ雌側帯状基部４１の平面から突出した突出部５１０と、これらの突出部５１０の先端に一体形成され互いに向かい合う方向にのみ突出した雌側爪部５１１とを備えている。
【００２４】
互いに対向する雌構成部５１の間の間隔と、雌構成部５１のうち収納空間側の雌構成部５１と雌側鉤部６１との間隔とは、ほぼ同じでもよく、あるいは、異なるものでもよい。雌側鉤部６１は、雌側帯状基部４１の平面から突出した突出部６１０と、この突出部６１０の先端から雌部材Ｆ（袋本体１０の開口端１２）側にのみ向けて突出した雌側鉤用爪部６１１とを有する。
雌側鉤用爪部６１１は、雌側帯状基部４１と対向する部分に斜辺Ｌを有する。この斜辺Ｌの雌側帯状基部４１の垂線Ｓに対する角度のうち鋭角となる角度αは、９０°未満、好ましくは、４５°以上８０°以下である。
雌部材Ｆと雌側鉤部６１とは、雌側帯状基部４１の平面からの高さ寸法がほぼ同じとされる。
【００２５】
雄側テープ部材２２は、雌側帯状基部４１に対向配置される雄側帯状基部４２と、雄側帯状基部４２に設けられ雌部材Ｆと嵌合する雄部材Ｍと、この雄部材Ｍの幅方向（図３および図４の上下方向）のうち収納空間側に並んで設けられた雄側鉤部６２とを備えて構成されている。
雄側帯状基部４２は、平板状に形成されており、その開口端側の端縁は袋本体１０の開口端１２から離れている。第１実施形態では、雄側帯状基部４２の幅方向の寸法が雌側帯状基部４１の幅方向の寸法より短い。
雄側帯状基部４２は、その底面の一部のみが袋本体１０の内面に接合されている。つまり、雄側帯状基部４２の袋本体１０への接合領域Ｅは、雄部材Ｍおよび雄側鉤部６２が設けられた領域を除いた領域であって収納空間側の端縁（図３および図４では下端縁）を含む領域である。なお、雄側帯状基部４２の袋本体１０の内面との接合は、雌側帯状基部４１の場合と同様に、接合領域の全面で行われているものでもよく、周縁を残して行われるものでもよく、あるいは、散点状に行われるものであってもよい。
【００２６】
雄部材Ｍは、雄側帯状基部４２の開口端側に設けられるものであり、雄側帯状基部４２の平面から突出した突出部５２０と、この突出部５２０の先端から収納空間側と開口端側とのそれぞれに向けて突出した雄側爪部５２２とから断面やじり状に形成されている。
これらの雄側爪部５２２は、それぞれ雌側爪部５１１に係止される。
雄側爪部５２２のうち雄側鉤用爪部６２２とは反対側（開口端側）に向いた雄側爪部５２２は、開口端側に位置する雌側爪部５１１に係合する斜辺Ｌを有する。斜辺Ｌの雄側帯状基部４２の垂線Ｓに対する角度のうち鋭角となる角度θは、９０°未満、好ましくは、４５°以上８０°以下である。雄側爪部５２２のうち雄側鉤用爪部側（収納空間側）に向いた雄側爪部５２２は、収納空間端側に位置する雌側爪部５１１に係合する斜辺Ｌを有する。斜辺Ｌの雄側帯状基部４２の垂線Ｓに対する角度のうち鋭角となる角度θは、９０°未満、好ましくは、４５°以上８０°以下である。
雄部材Ｍと同様に、雌部材Ｆにおいても雌側爪部５１１の角度が限定される。つまり、雌部材Ｆを構成する一対の雌側爪部５１１は、雄側爪部５２２に係合する斜辺を有し、斜辺の雌側帯状基部４１の垂線に対する角度Ａ，Ｂは、それぞれ９０°未満、好ましくは、４５°以上８０°以下である。
【００２７】
雄側鉤部６２は、雄側帯状基部４２の平面から突出した突出部６２０と、この突出部６２０の先端から雄部材Ｍとは反対側（袋体の収納空間１３側）にのみ向けて突出し雌側鉤用爪部６１１と係止する雄側鉤用爪部６２２を有する。
雄側鉤用爪部６２２は、雌側鉤用爪部６１１の斜辺Ｌと係合する斜辺Ｌが形成されている。斜辺Ｌの雄側帯状基部４２の垂線Ｓに対する角度であって鋭角となる角度βは、９０°未満、好ましくは、４５°以上８０°以下である。
雄部材Ｍと雄側鉤部６２の雄側帯状基部４２の底面からの高さ寸法は、ほぼ同じである。図３，４では、雄側帯状基部４２の厚さ寸法は、雄部材Ｍと雄側鉤部６２との間が他より大きくなっているが、同じであってもよい。
【００２８】
雄側帯状基部４２の開口端側の端縁Ｐ１と雄部材Ｍの突出部６２０の開口端側の端縁Ｐ２とは略面一である。
端縁Ｐ１と端縁Ｐ２との間の寸法差ｔは、０．０ｍｍ以上２．０ｍｍ以下であり、これは、人の指で把持できない距離である。
大人、子供、男性、女性などや、年齢や健康状態などによって、手で物をつかむ強さに差異がある。例えば、指先の器用な健康な成人男性であれば、指先の力が強いため、指で把持する領域の距離が短くてもよいが、子供や高齢者では、指先の力が弱いため、当該距離を長くする必要がある。これらの条件を考慮すると、人の指で把持できない距離（寸法差ｔ）は、０．０ｍｍ以上２．０ｍｍ以下が普遍的な値となる。寸法差ｔが２．０ｍｍを超えると、多くの人にとって、雄側帯状基部４２の開口端側を把持できることになる。
【００２９】
開封用切断部３０は、物品Ｇを改竄防止袋１から取り出す際に用いるもので、袋本体１０の両サイドシール部１０Ａにそれぞれ設けられた切欠き３１や、これらの切欠き３１同士を接続した直線状切断部を例示できる。
直線状切断部としては、雌側テープ部材２１と雄側テープ部材２２とにそれぞれ一体形成された直線カット部や、雌側テープ部材２１や雄側テープ部材２２から離れて設けられた直線カットフィルムや、レーザー加工、ミシン目加工等で形成された切断線を例示することができる。直線カット部は、雌側帯状基部４１の収納空間側に一体に形成された第一カット部と、雄側帯状基部４２の収納空間側に一体に形成された第二カット部とを有する。これらのカット部は、それぞれ帯状基部に接続された薄肉部と、この薄肉部に接続された凸状部とを備えた構成である。薄肉部は袋本体から離れており、凸状部は袋本体に接合される。
【００３０】
（ジッパーテープの材料）
このようなジッパーテープ２０は、例えば、ポリオレフィン系樹脂を用いて形成されている。なお、ジッパーテープ２０は、長手方向に対して折り曲げることで、その状態を保持する形状保形性を有して形成してもよい。
ポリオレフィン系樹脂としては、例えば、低密度ポリエチレンまたは直鎖状低密度ポリエチレンなどのポリエチレン系樹脂、ポリプロピレン系樹脂が好ましい。特に、剛性が高く変形しにくいという観点から、ポリプロピレン系樹脂が好ましい。ポリプロピレン系樹脂としては、ホモポリプロピレン（Ｈ−ＰＰ）、ブロックポリプロピレン（Ｂ−ＰＰ）、ランダムポリプロピレン（Ｒ−ＰＰ）、プロピレン−エチレン−ブテン１ランダム三元共重合体などが利用できる。
【００３１】
（ジッパーテープ付き袋体の製造方法）
ジッパーテープ付き袋体２を製造するには、種々の方法を採用することができる。
例えば、雌側テープ部材２１と雄側テープ部材２２とをそれぞれ押出成形などによって成形しておく。そして、雌側テープ部材２１と雄側テープ部材２２とのそれぞれ所定の接合領域をそれぞれ基材フィルム１１の両端縁にヒートシールしてジッパーテープ２０を袋本体１０に融着する。
その後、基材フィルム１１を折り曲げてサイドシール部１０Ａをヒートシールで形成し、必要に応じて、ボトムシール部１０Ｂを形成する。その後、袋本体１０に開封用切断部３０を設ける。
【００３２】
（物品の収納方法）
ジッパーテープ付き袋体２が製造されたら、改竄防止用ジッパーテープ付き袋体２を小売店などに搬送する。
改竄防止用ジッパーテープ付き袋体２を搬送する際に、雌側テープ部材２１と雄側テープ部材２２とが誤って咬合しないようにするために、これらの間に、例えばフィルム（図示せず）を介装しておく。
小売店などでは、図５（Ａ）に示される通り、フィルムを取り除くとともに、袋本体１０の開口端１２を開放する。そして、図５（Ｂ）に示される通り、袋本体１０の収納空間１３に物品Ｇを収納する。物品Ｇを収納する際には、袋本体１０の開口端１２が開放されたままとする。
【００３３】
図５（Ｃ）に示される通り、物品Ｇが収納されたら、ジッパーテープ２０の一端から他端に向けて、雌側テープ部材２１と雄側テープ部材２２とを互いに係合する。雌側テープ部材２１と雄側テープ部材２２とを互いに押し込むことにより、雌側テープ部材２１の雌部材Ｆに雄側テープ部材２２の雄部材Ｍが嵌り込み、雌側テープ部材２１と雄側テープ部材２２とが互いに係合する。これにより、図５（Ｄ）に示される通り、物品Ｇが収納空間１３に収納された改竄防止袋１が完成する。
完成した改竄防止袋１を販売するために、売り場に展示する。
【００３４】
売り場にて、商品を改竄しようとする者が改竄防止袋１の袋本体１０の開口端１２の近傍を持って引っ張っても、ジッパーテープ２０を開けることができない。
つまり、図４に示される通り、袋本体１０の開口端１２の近傍が引っ張られることで、雌側テープ部材２１が開口端側に向けた方向Ｑ１に引っ張られる。これに対して、雄側テープ部材２２は、雄側帯状基部４２の収納空間側の一部のみが袋本体１０の内面に接合されるので、雌側テープ部材２１とは反対側の方向Ｑ２に引っ張られる。すると、雌側帯状基部４１と雄側帯状基部４２とに剪断させる方向に力が作用する。
この力により、雌側鉤用爪部６１１と雄側鉤用爪部６２２とが互いに係合し、さらに、雌部材Ｆの収納空間側の雌側爪部５１１と雄部材Ｍの収納空間側の雄側爪部５２２とが互いに係合することになる。
なお、雄側帯状基部４２の開口端側の長さは短いので、雄側テープ部材２２自体を把持することができない。
【００３５】
一方、袋本体１０の収納空間側からジッパーテープ２０を開けようとしても開封できない。つまり、開封に際して、雌側鉤部６１と雄側鉤部６２とが互いに離れる方向に動こうとしても、これらの斜辺Ｌの垂線Ｓに対する角度α，βが９０°未満であるため、雌側鉤部６１と雄側鉤部６２とが互いに離れにくくなる。しかも、雌部材Ｆを構成する雌側爪部５１１と雄部材Ｍを構成する雄側爪部５２２とが互いに係止される。
売り場にて、物品Ｇが収納された改竄防止袋１を購入した消費者は、改竄防止用ジッパーテープ２０自体を開けることができないので、物品Ｇを取り出すために、開封用切断部３０により、袋本体１０を切断する。
【００３６】
（第１実施形態の効果）
第１実施形態では、次の効果を奏することができる。
（１）雌側テープ部材２１を、雌側帯状基部４１に設けられた雌部材Ｆと、雌部材Ｆと幅方向に並んで設けられた雌側鉤部６１とを備え、雌部材Ｆを、幅方向であって互いに向かい合った方向に突出した雌側爪部５１１を有する構成とした。雄側テープ部材２２を、雄側帯状基部４２に設けられた雄部材Ｍと、雄部材Ｍと幅方向に並んで設けられた雄側鉤部６２とを備えて構成した。雄部材Ｍを、幅方向において互いに反対側に突出した一対の雄側爪部５２２を有し、これらの雄側爪部５２２のうち雄側鉤部６２とは反対側に向いた雄側爪部５２２を、雌側爪部５１１に係合する斜辺Ｌを有する構成とした。斜辺Ｌの雄側帯状基部４２の垂線Ｓに対する角度θを９０°未満とした。さらに、雌側鉤部６１を構成する雌側鉤用爪部６１１の斜辺Ｌと垂線Ｓとの角度αを９０°未満とし、雄側鉤部６２を構成する雄側鉤用爪部６２２の斜辺Ｌと垂線Ｓとの角度βを９０°未満とした。
そのため、ジッパーテープ２０を幅方向の両側からそれぞれ開封しようとしても、雌側テープ部材２１と雄側テープ部材２２とが互いに離れない構成となっているため、ジッパーテープ２０が一度封止した後では、開封されることがない。
さらに、雌部材Ｆの互いに向かい合う方向に突出した雌側爪部５１１は、雄側爪部５２２に係合する斜辺の雌側帯状基部４１の垂線に対する角度Ａ，Ｂがそれぞれ９０°未満であり、雄部材Ｍの雄側鉤部６２側に向いた雄側爪部５２２の斜辺の雄側帯状基部４２の垂線に対する角度Ｃが９０°未満であるため、雄部材Ｍと雌部材Ｆとは、幅方向のいずれの方向からもより外れにくくなる。
従って、ジッパーテープ２０を改竄防止袋１として用いることで、物品の改竄の防止が確実に行える。
【００３７】
（２）雄部材Ｍを、突出部５２０と、この突出部５２０と一体に形成した一対の雄側爪部５２２とから構成するので、雄側テープ部材２２を、押出成形などによって、容易に成形することができる。
【００３８】
（３）雌部材Ｆおよび雄部材Ｍを、それぞれポリプロピレンという硬質な材料で成形すれば、雌部材Ｆおよび雄部材Ｍが変形しにくいため、ジッパーテープ２０の開封が困難なものとなる。
【００３９】
（４）雄側帯状基部４２の幅方向の一方の端縁Ｐ１（開口端側）と、雄部材Ｍの突出部５２０の端縁Ｐ２とを略面一とした。端縁Ｐ１と端縁Ｐ２とに寸法差ｔがある場合でも、この寸法差ｔを、人の指で把持できない距離である、０．０ｍｍ以上２．０ｍｍ以下とした。そのため、当該幅方向の一方から雌側テープ部材２１と雄側テープ部材２２とを互いに開こうとしても、雄側帯状基部４２の端縁から雄部材Ｍの端縁までの寸法差ｔが短いので、雄側帯状基部４２自体を把持することができない。従って、物品の改竄を確実に防止することができる。
【００４０】
（５）ジッパーテープ付き袋体２を、袋本体１０と、袋本体１０の内面に接合された前述の構成の改竄防止用ジッパーテープ２０とを備えて構成した。雌側帯状基部４１の開口端側の端縁から収納空間側の端縁に渡った領域を袋本体１０の内面に接合し、雄側帯状基部４２の雄部材Ｍおよび雄側鉤部６２が設けられた領域を除いた領域であって収納空間側の端縁を含む接合領域Ｅを袋本体１０の内面に接合した。
そのため、雄側帯状基部４２を収納空間側の一部のみが袋本体１０の内面に接合される、いわゆる片側外しの構成となっているから、袋本体１０の開口端側からジッパーテープ２０を開封しようとすると、雌部材Ｆの開口端側に向いた雌側爪部５１１と雄部材Ｍの収納空間側に向いた雄側爪部５２２とが互いに係止され、雌側鉤用爪部６１１と雄側鉤用爪部６２２とが互いに係止されるので、物品の改竄がより確実に防止される。
【００４１】
（６）袋本体１０には、ジッパーテープ２０より収納空間側に開封用切断部３０が設けられているから、商品を正規に購入した消費者などが、物品の取り出しが容易に行える。
【００４２】
［第２実施形態］
次に、本発明の第２実施形態を図６に基づいて説明する。
（ジッパーテープの構成）
第２実施形態は、ジッパーテープの構成が第１実施形態とは異なる。
図６において、ジッパーテープ付き袋体２は、袋本体１０と、ジッパーテープ７０とを備え、袋本体１０には図６で図示が省略された開封用切断部が設けられている。
ジッパーテープ７０は、それぞれ開口端１２と平行に配置された雌側テープ部材７１および雄側テープ部材７２を備えている。
これらの雌側テープ部材７１と雄側テープ部材７２とは、長手方向と直交する方向が幅方向（図６では上下方向）とされている。幅方向の一方の方向（上方）が開口端側になり、幅方向の他方の方向（下方）が収納空間側となる。第２実施形態では、雌側テープ部材７１が図６の左側に配置され、雄側テープ部材７２が図６の右側に配置される。
【００４３】
第２実施形態では、第１実施形態と同様に、雌側テープ部材７１は、雌側帯状基部４１と、雌側帯状基部４１の幅方向に並んで設けられた雌部材Ｆおよび雌側鉤部６１とを備えて構成されている。
雄側テープ部材７２は、雄側帯状基部４２と、雄側帯状基部４２に幅方向に並んで設けられた雄部材Ｍおよび雄側鉤部６２とを備えて構成されている。
第２実施形態では、第１実施形態と同様に、雌側鉤部６１は、雌側帯状基部４１の平面から突出した突出部６１０と、この突出部６１０の先端から雌部材Ｆ（袋本体１０の収納空間１３側）にのみ向けて突出した雌側鉤用爪部６１１とを有する。
雄側鉤部６２は、雄側帯状基部４２の平面から突出した突出部６２０と、この突出部６２０の先端から雄部材Ｍとは反対側（袋体の開口端１２側）にのみ向けて突出し雌側鉤用爪部６１１と係止する雄側鉤用爪部６２２とを有する。
雌部材Ｆの互いに向かい合う方向に突出した雌側爪部５１１は、雄側爪部５２２に係合する斜辺の雌側帯状基部４１の垂線に対する角度Ａ，Ｂがそれぞれ９０°未満である。雄部材Ｍの雄側鉤部６２側に向いた雄側爪部５２２の斜辺の雄側帯状基部４２の垂線に対する角度Ｃが９０°未満である。これにより、雄部材Ｍと雌部材Ｆとは、幅方向のいずれの方向からもより外れにくくなる。
【００４４】
第２実施形態では、第１実施形態とは異なり、雌部材Ｆが収納空間側に配置され、雌側鉤部６１が開口端側に配置されている。同様に、雄部材Ｍが収納空間側に配置され、雄側鉤部６２が開口端側に配置されている。
雌側鉤部６１と雄側鉤部６２とは、斜辺Ｌの垂線Ｓに対する角度α，βが９０°未満である。これにより、開口端側からの開封がしにくい構成となる。
雌側帯状基部４１の幅方向の寸法が雄側帯状基部４２の幅方向の寸法より短い。
雌側帯状基部４１の開口端側端縁Ｐ１と雌側鉤部６１の突出部６１０の端縁Ｐ２とは略面一である。端縁Ｐ１と端縁Ｐ２との寸法差ｔは、０．０ｍｍ以上２．０ｍｍ以下、つまり、人の指で把持できない距離である。雌側帯状基部４１の端縁Ｐ１から雌側鉤部６１の端縁Ｐ２までの寸法差ｔが短いので、雌側帯状基部４１自体を把持することができない。
雄側帯状基部４２の開口端側の端縁から収納空間側の端縁に渡った領域を袋本体１０の内面に接合し、雌側帯状基部４１の雌側鉤部６１および雌部材Ｆが設けられた領域を除いた領域であって収納空間側の端縁を含む接合領域Ｅを袋本体１０の内面に接合した。そのため、雌側帯状基部４１を収納空間側の一部のみが袋本体１０の内面に接合される、いわゆる片側外しの構成となっている。
【００４５】
（第２実施形態の効果）
第２実施形態では、第１実施形態の効果（１）〜（６）と同一の効果を奏することができる。
【００４６】
［第３実施形態］
次に、本発明の第３実施形態を図７に基づいて説明する。
（ジッパーテープの構成）
第３実施形態は、ジッパーテープの構成が第１実施形態とは異なる。
図７において、ジッパーテープ付き袋体２は、袋本体１０と、ジッパーテープ８０とを備え、袋本体１０には図７で図示が省略された開封用切断部が設けられている。
ジッパーテープ８０は、それぞれ開口端１２と平行に配置された雌側テープ部材８１および雄側テープ部材８２を備えている。
これらの雌側テープ部材８１と雄側テープ部材８２とは、長手方向と直交する方向が幅方向（図７では上下方向）とされている。幅方向の一方の方向（上方）が開口端側になり、幅方向の他方の方向（下方）が収納空間側となる。第３実施形態では、雌側テープ部材８１が図７の左側に配置され、雄側テープ部材８２が図７の右側に配置される。
【００４７】
第３実施形態では、第１実施形態と同様に、雌側テープ部材８１は、雌側帯状基部４１と、雌側帯状基部４１の幅方向に並んで設けられた雌部材Ｆおよび雌側鉤部６１とを備えて構成されている。
雄側テープ部材８２は、雄側帯状基部４２と、雄側帯状基部４２の幅方向に並んで設けられた雄部材Ｍおよび雄側鉤部６２とを備えて構成されている。
【００４８】
第３実施形態では、第１実施形態とは異なり、雌側鉤部６１の雌側鉤用爪部６１１が雌部材Ｆとは反対側（袋本体１０の収納空間１３側）を向き、雄側鉤部６２の雄側鉤用爪部６２２が雄部材Ｍ側（袋本体１０の開口端１２側）を向いている。さらに、雌側帯状基部４１の幅方向の寸法が雄側帯状基部４２の幅方向の寸法より短い。
雌側帯状基部４１の開口端側端縁Ｐ１と雌部材Ｆの開口端側に位置する雌構成部５１の端縁Ｐ２とは略面一である。端縁Ｐ１と端縁Ｐ２との寸法差ｔは、０．０ｍｍ以上２．００ｍｍ以下、つまり、人の指で把持できない距離である。これにより、雌側帯状基部４１の端縁Ｐ１から雌部材Ｆの端縁Ｐ２までの寸法差ｔが短いので、雌側帯状基部４１自体を把持することができない。
雄側帯状基部４２の開口端側の端縁から収納空間側の端縁に渡った領域を袋本体１０の内面に接合し、雌側帯状基部４１の雌部材Ｆおよび雌側鉤部６１が設けられた領域を除いた領域であって収納空間側の端縁を含む接合領域Ｅを袋本体１０の内面に接合した。そのため、雌側帯状基部４１を収納空間側の一部のみが袋本体１０の内面に接合される、いわゆる片側外しの構成となっている。
【００４９】
（第３実施形態の効果）
第３実施形態では、第１実施形態の効果（１）〜（６）と同様の効果を奏することができる。
【００５０】
［第４実施形態］
次に、本発明の第４実施形態を図８に基づいて説明する。
（ジッパーテープの構成）
第４実施形態は、ジッパーテープの構成が第１実施形態とは異なる。
図８において、ジッパーテープ付き袋体２は、袋本体１０と、ジッパーテープ９０とを備え、袋本体１０には図８で図示が省略された開封用切断部が設けられている。
ジッパーテープ９０は、それぞれ開口端１２と平行に配置された雌側テープ部材９１および雄側テープ部材９２を備えている。
これらの雌側テープ部材９１と雄側テープ部材９２とは、長手方向と直交する方向が幅方向（図８では上下方向）とされている。幅方向の一方の方向（上方）が開口端側になり、幅方向の他方の方向（下方）が収納空間側となる。第４実施形態では、雌側テープ部材９１が図８の左側に配置され、雄側テープ部材９２が図８の右側に配置される。
【００５１】
第４実施形態では、第１実施形態と同様に、雌側テープ部材９１は、雌側帯状基部４１と、雌側帯状基部４１の幅方向に並んで設けられた雌部材Ｆおよび雌側鉤部６１とを備えて構成されている。
雄側テープ部材９２は、雄側帯状基部４２と、雄側帯状基部４２の幅方向に並んで設けられた雄部材Ｍおよび雄側鉤部６２とを備えて構成されている。
【００５２】
第４実施形態では、第１実施形態とは異なり、雌部材Ｆが収納空間側に配置され、雌側鉤部６１が開口端側に配置されている。同様に、雄部材Ｍが収納空間側に配置され、雄側鉤部６２が開口端側に配置されている。
第４実施形態では、第１実施形態とは異なり、雌側鉤部６１は、雌側帯状基部４１の平面から突出した突出部６１０と、この突出部６１０の先端から雌部材Ｆとは反対側（袋本体１０の開口端１２側）にのみ向けて突出した雌側鉤用爪部６１１とを有する。
雄側鉤部６２は、雄側帯状基部４２の平面から突出した突出部６２０と、この突出部６２０の先端から雄部材Ｍ側（袋体の収納空間１３側）にのみ向けて突出し雌側鉤用爪部６１１と係止する雄側鉤用爪部６２２とを有する。
雄側帯状基部４２の開口端側端縁Ｐ１と雄側鉤部６２の突出部６２０の端縁Ｐ２とは略面一である。端縁Ｐ１と端縁Ｐ２との寸法差ｔは、０．０ｍｍ以上２．００ｍｍ以下、つまり、人の指で把持できない距離である。これにより、雄側帯状基部４２の端縁Ｐ１から雄側鉤部６２の端縁Ｐ２までの寸法差ｔが短いので、雌側帯状基部４１自体を把持することができない。
【００５３】
（第４実施形態の効果）
第４実施形態では、第１実施形態の効果（１）〜（６）と同様の効果を奏することができる。
【００５４】
［実施形態の変形］
なお、以上説明した態様は、本発明の一態様を示したものであって、本発明は、前記した実施形態に限定されるものではなく、本発明の構成を備え、目的および効果を達成できる範囲内での変形や改良が、本発明の内容に含まれるものであることはいうまでもない。
【００５５】
例えば、前記各実施形態では、雄部材Ｍを、突出部５２０の先端にそれぞれ一対の雄側爪部５２２を一体に設けて構成したが、本発明では、雄部材Ｍを幅方向に沿って分けた構成としてもよい。
つまり、図９で示される通り、雄部材Ｍの突出部５２０を開口端側と収納空間側とにそれぞれ設け、これらの突出部５２０の先端にそれぞれ雄側爪部５２２を一体に形成したフック部５２Ａ，５２Ｂから雄部材Ｍを構成してもよい。この場合、幅方向に並んだ突出部５２０は、寸法ｍだけ離れている。開口端側の雌構成部５１と開口端側のフック部５２Ａとが対となり、収納空間側の雌構成部５１と収納空間側のフック部５２Ｂとが対となる。
また、前記各実施形態では、雌部材Ｆと雄部材Ｍとを一対設け、雌側鉤部６１と雄側鉤部６２とを一対設けたが、本発明では、２対以上としてもよい。
【００５６】
さらに、前記各実施形態では、袋本体１０に開封用切断部３０を設けたが、本発明では、開封用切断部３０を必ずしも設けることを要しない。つまり、開封用切断部３０がなくても、ハサミなどの刃物で、袋本体１０を切断することで、物品Ｇの取り出しを行うことができる。
【産業上の利用可能性】
【００５７】
本発明は、例えば、雑貨、食品、薬品、医療品等の各種物品を収納するためのジッパーテープ付き袋体、および、このジッパーテープ付き袋体に物品が収納された改竄防止袋に利用することができる。
【符号の説明】
【００５８】
１…改竄防止袋、２…改竄防止用ジッパーテープ付き袋体、１０…袋本体、１２…開口端、１３…収納空間、２０，７０，８０，９０…改竄防止用ジッパーテープ、２１，７１，８１，９１…雌側テープ部材、２２，７２，８２，９２…雄側テープ部材、３０…開封用切断部、４１…雌側帯状基部、４２…雄側帯状基部、５１…雌構成部、６１…雌側鉤部、６２…雄側鉤部、５１１…雌側爪部、５２０…突出部、５２２…雄側爪部、Ｆ…雌部材、Ｍ…雄部材、Ｓ…垂線
【図１】
0006671400.tif 000002
【図２】
0006671400.tif 000003
【図３】
0006671400.tif 000004
【図４】
0006671400.tif 000005
【図５】
0006671400.tif 000006
【図６】
0006671400.tif 000007
【図７】
0006671400.tif 000008
【図８】
0006671400.tif 000009
【図９】
0006671400.tif 000010